(57)【要約】【課題】４層以上の多層構造を備えた多層ラベルを提供することであり、かつまた、現在市場にて入手可能なラベルの剥離紙や基材を用いて、多層ラベルの製造方法を確立する。【解決手段】剥離紙とその表面に重ねて接着される複数個のラベルから成る多層ラベルであって、剥離紙１４を含むラベル１１、１２、１３が４層又は４層以上の多層構造を有しており、各ラベルが剥離性を有する印刷面１６と再剥離可能な粘着剤１７によって相互に接着されている多層ラベルを提供する。【選択図】          図２
2014010234.tif 000002
【特許請求の範囲】
【請求項１】
剥離紙とその表面に重ねて接着される複数個のラベルから成る多層ラベルであって、
剥離紙を含むラベルが４層又は４層以上の多層構造を有しており、
各ラベルが剥離性を有する印刷面と再剥離可能な粘着剤によって相互に接着されている
ことを特徴とする
多層ラベル。
【請求項２】
４層又は４層以上の多層構造を有しているラベルは、ラベルを１層ずつ剥離するために、端部に接着されていない剥離開始部を有しており、かつ、剥離方向への剥離によってラベルに破断を生じさせる改竄防止部を有している
請求項１記載の多層ラベル。
【請求項３】
４層又は４層以上の多層構造を有しているラベルは、折り曲げて使用するため折り曲げ位置に筋押し加工線が設けられている
請求項１又は２記載の多層ラベル。
【請求項４】
ラベルは、ポリプロピレンを主原料とするシート材を基材として使用しており、上記シート材の表面に異なる絵柄の印刷が施されている
請求項１ないし３のいずれかに記載の多層ラベル。
【請求項５】
重ねて接着される複数個のラベルから成る多層ラベルの製造方法であって、
複数個のラベルを接着する粘着剤として在来比１．２〜３．６倍の接着強度を有するものを使用し、
上記粘着剤の接触するラベル面に、剥離性を持たせたインクを用いて印刷したことを特徴とする多層ラベルの製造方法。
【発明の詳細な説明】
【技術分野】
【０００１】
本発明は、剥離紙とその表面に重ねて接着される複数個のラベルから成る多層ラベル及びその製造方法に関するものである。
【背景技術】
【０００２】
多くの商品は、店頭に陳列されたときに購買意欲を喚起するように、包装に工夫が施されている。商品には、いわゆるラベルを貼ったものも多く見受けられ、ラベルはメーカーが製造段階で貼り付けることもあるが、それとは別に、販売者が販売を促進する目的で特定の商品に貼り付けることもある。特に、後者のラベルは、キャンペーンシールなどとも呼ばれて、商品販売の促進手段に利用されることがあり、シール表面には顧客の注意を引く文言やデザインが印刷されている。そのようなものは、キャンペーンが終了した場合にはそのラベルを剥がさねばならず、また、キャンペーンの内容が変わる場合にはラベルを貼り直さなければならない。
【０００３】
しかしながら、従来のラベルではそれらを剥がす際の手間が掛かり、しかも、剥がした跡が残り、商品に良い印象を与えないという問題も起こる。このような場合に、剥がし易くしかもきれいに剥がすことができるラベルがあれば好都合であり、かつ、多層構造であればさらに手間を省くことができる。そこで、先行技術を調査したところ特開平５−４６０９１号が見出された。同号の発明は強粘着層上に設けられた基材と弱粘着層上に設けられた表示基材から成る多層ラベルを用いる物流管理方法であり、製品に粘着剤痕跡などを残さずに繰り返し使用することができるとされている。しかし、その製造には、２種類以上の粘着剤を必要とするため製造管理が複雑であり、大企業であればともかく、どこでもたやすく実施できるというわけではない。
【０００４】
また、特開２００３−１０８００２号は、表面側に位置した第一層ラベルと、この第一層ラベルの下に積層された第二層ラベルとを備え、各ラベルは、薬剤名が設けられた薄いシート状のラベル基材と、上記ラベル基材下面に形成された粘着層とを有し、上記第二層ラベルの表面側には剥離層が形成され、上記第二層ラベルの粘着層はその下層のシート材に剥離層を介して積層され」他薬剤管理用多層ラベルの発明を開示している。故に、第一層ラベルを薬剤容器等から剥がして注射器等に貼り付けることで、薬剤の誤投与などを防止でき、管理も容易になる。しかし、この発明でも第一層ラベルと第二層ラベルの互いの粘着力に差を付ける方式を取っており、前記発明と同様の問題がある。
【０００５】
さらに、これら従来公知の技術では、剥離紙を含めて三層構造までが限界であり、それ以上の多層ラベルを得ることはできない。従来の手段、方法では、三層を超える構造の場合剥離紙に皺が発生してしまい、印刷面にズレを生じて安定した品質が得られないからである。すなわち、現在市場にて入手可能なラベルの剥離紙や基材の厚さには限度があり、例えば、剥離紙の材厚は平均的なもので約９０μｍ、基材の材厚も約９０μｍである。４層のラベルでは厚さの合計が約３６０μｍにもなり、これらに間の粘着材層を考慮すると５００μｍに近い厚さとなるので、製造の際に剥離紙や印刷面に、上記の如く不具合を生じさせる問題が顕著になるのである。この問題は、剥離紙やその表面に積層されるラベル基材の材料に原因があるのであるから、現時点における技術的な壁であるといえる。
【０００６】
【特許文献１】特開平５−４６０９１号
【特許文献２】特開２００３−１０８００２号
【発明の開示】
【発明が解決しようとする課題】
【０００７】
本発明は前記の実情に鑑みてなされたもので、その課題は、４層以上の多層構造を備えた多層ラベルを提供することであり、かつまた、現在市場にて入手可能なラベルの剥離紙や基材を用いて、多層ラベルの製造方法を確立することである。また、本発明の他の課題は、多層ラベルのそれぞれに任意の絵柄や文言を印刷することにより、使用者が、数枚の各ラベルを必要に応じて使い分けられるようにすることである。
【課題を解決するための手段】
【０００８】
前記の課題を解決するため、本発明は、剥離紙とその表面に重ねて接着される複数個のラベルから成る多層ラベルについて、剥離紙を含むラベルが４層又は４層以上の多層構造を有しており、各ラベルが剥離性を有する印刷面と再剥離可能な粘着剤によって相互に接着されているものとするという手段を講じたものである。
【０００９】
本発明の多層ラベルは、剥離紙を使用し、かつ、それにラベルを層状に重ねて接着した構成を有しており、上記剥離紙及びラベル基材としては、合成紙、例えば、ポリプロピレンを主原料とするシート材を使用するものが最も好ましい。上記ポリプロピレンを主原料とするシート材としては、例えば、ユポ紙（ユポ・コーポレーションの商品名）がある。また、ユポ紙（ユポ・コーポレーションの商品名）は、剥離紙としても使用可能である。しかし、上記は飽くまでも例示であり、剥離紙やラベル基材としてこれら以外の材料を使用することを排除するものではない。
【００１０】
本発明の多層ラベルは、上記の剥離紙を含むラベルが４層又は４層以上の多層構造を有することを特徴とする。前述したように、従来公知の技術では、剥離紙を含めて三層構造までが限界であり、それ以上の多層ラベルを得ることはできないという現実がある。したがって、４層以上の多層構造を有する多層ラベル構造は限界を超えたもので一つの特徴となる。
【００１１】
そして、本発明の多層ラベルは、各ラベルが剥離性を有する印刷面と再剥離可能な粘着剤によって相互に接着されていることを特徴とする。再剥離、すなわち、一度貼ったラベル等を、他のラベルや剥離紙等の被着体に、粘着剤を残さずに綺麗に剥がすことができるという構成は、本発明の多層ラベルに好ましいものである。再剥離可能な粘着剤としてはアクリル系の粘着剤があるが、この粘着剤は剥離時に糊残りがし難い特徴があり、上記ポリプロピレンを主原料とするシートから成る基材に対する接着性も優れている。
【００１２】
本発明の多層ラベルは、４層又は４層以上の多層構造を有しているラベルを１層ずつ剥離するために、端部に接着されていない剥離開始部を有しており、かつ、剥離方向への剥離によってラベルに破断を生じさせる改竄防止部を有していることが望ましい。この剥離開始部は、４層以上の層状構造に形成されている多層ラベルを１枚ずつ剥がすことを容易にする。また、改竄防止部は、４層以上のラベルを第１層から順番に剥がすことを条件とする使用方法において、より下層から剥がそうとした場合にラベルを破断させ、改竄を中断させることができる。
【００１３】
上記の４層又は４層以上の多層構造を有しているラベルには、折り曲げて使用するため折り曲げ位置に筋押し加工線を設けることができる。本発明は、４層以上の多層構造を有しているラベルを実現することができるものであるが、これを、商品に折り曲げて貼り付けるような場合には、不具合を生じる可能性も無いとはいえない。筋押し加工線は、多層ラベルを折り曲げ易くして不具合の発生を防止するものである。なお、剥離紙の材厚及びラベルの基材の材厚はそれぞれ８０〜９５μｍ程度が適切である。
【００１４】
さらに本発明は、重ねて接着された複数個のラベルから成る多層ラベルの製造方法を包含するものである。この製造方法は、複数個のラベルを接着する粘着剤として、在来の粘着剤の標準的な接着強度を基準としたときに、その１．２〜３．６倍、望ましくは１．３〜２．０倍の接着強度を有するものを使用し、上記粘着剤の接触するラベル面に、剥離性を持たせたインクを用いて印刷したことを特徴とする。すなわち、本発明の多層ラベルの製造方法は、ラベルに対する強力な接着力を有する粘着剤と、その強力な接着に対する剥離性を有するインクとの組み合わせる方法により構成されている。剥離性を有するインクは、インクに、例えばシリコン材等を混合することによって得ることができる。粘着剤として在来比１．２〜３．６倍の接着強度を有するという上記の条件は、発明者が、本発明の多層ラベルを開発する過程で経験的に突き止めたものであり、この条件を満たす強力な粘着剤を使用すると同時に剥離性を有するインクを組み合わせるという発想に基づいて、本発明を完成することができたのである。
【発明の効果】
【００１５】
本発明は以上のように構成され、各ラベルが剥離性を有する印刷面と再剥離可能な粘着剤によって相互に接着されているので、４層以上の多層構造を備えるとともに、ずれやしわを生じない多層ラベルを提供することができるという効果を奏する。また、本発明によれば、多層ラベルのそれぞれに任意の絵柄や文言を印刷することにより、使用者が、数枚の各ラベルを必要に応じて使い分けられるようにすることができる。また、本発明の製造方法によれば、現在市場にて入手可能なラベルの剥離紙や基材を用いて、ずれやしわを生じない安定した性能を有する多層ラベルを製造する方法が確立することができる。
【発明を実施するための最良の形態】
【００１６】
以下図示の実施形態を参照して本発明をより詳細に説明する。図１は本発明に係る多層ラベル１０の一例を示すもので、この多層ラベル１０は、剥離紙とその表面に重ねて接着される複数個のラベルから成っている。図示の例は、レンタルＤＶＤショップにおけるレンタル商品であるＤＶＤに一種のキャンペーンとして貼付するラベルであり、該当のＤＶＤが新着の商品であることを示す文言等を有している。
【００１７】
この実施形態における、ラベルは第１層のラベル１１、第２層のラベル１２、第３層のラベル１３及び剥離紙１４から構成されている。第１層のラベル１１には「最新作」の文言が大きく印刷されており、第２層のラベル１２には「新作はやくも３泊４日ＯＫ！」などの文言が印刷されており、第３層のラベル１３には「まだまだ新作７泊８日ＯＫ！」などの文言が印刷されている。図３Ａ、Ｂ参照。また、第１層のラベル１１は地色を、例えば赤色とし、第２層のラベル１２は地色を、例えばオレンジ色とし、第３層のラベル１３は地色を、例えば黄色とすることによっても差を付けている。
【００１８】
図示の実施形態では、第１層のラベル１１、第２層のラベル１２、第３層のラベル１３の全部または一部が重なって接着されているラベル集合体を、特に、符号１５で示す。また、第１層のラベル１１を剥がした集合体を符号１５′で、第２層のラベル１２を剥がした集合体を符号１５″でそれぞれ示す。図２参照。なお、上記のラベル１１、１２、１３にはユポ紙（ユポ・コーポレーションの商品名）を用いており、また、剥離紙１４にもユポ紙（ユポ・コーポレーションの商品名）を用いている。
【００１９】
上記第１層のラベル１１、第２層のラベル１２、第３層のラベル１３は、剥離性を有する印刷面１６と再剥離可能な粘着剤１７によって相互に接着されている。図４等参照。本実施形態においては、印刷面１６としてシリコンを混合したインクを用いるとともに、粘着剤１７としてアクリル系の粘着剤を用いている。そして、実施形態における剥離紙１４の材厚は約９０μｍ、各ラベル１１、１２、１３の基材の材厚はそれぞれ約９０μｍであったから合計約３６０μｍ、粘着材の材厚を加えると約５００μｍとなる。
【００２０】
このような基本的構成を有する多層ラベル１０は、折り曲げて使用する場合に便宜なように、折り曲げ位置に筋押し加工線１８を１箇所又は２箇所以上設けることができる。図４Ｂ参照。筋押し加工線１８は、この実施形態ではＤＶＤのケースＤの厚さにほぼ等しい間隔で二筋設けており（図６参照）、ラベル集合体１５の全層に及ぶことが望ましい。筋押し加工線１８は、図示のように実線状に設けても良いが、点線状に設けても良く、必要に応じてその形態等を選択することができる。
【００２１】
さらに、ラベル１１、１２、１３を１層ずつ剥離するために、その端部に、接着されていない剥離開始部１９を設けている。剥離開始部１９は、図５に示す例では、粘着剤１７の層を形成しない部分として図示されている。この方法は、粘着剤を塗布しないことによって実施した例を示しているが、粘着剤を塗布する場合でも、さらにその表面に剥離剤を重ねて塗布することで、剥離開始部１９を形成することができるので、どちらかの方法を選択する。
【００２２】
実施形態の多層ラベル１０は、剥離方向への剥離によってラベル１１〜１３に破断を生じさせる改竄防止部２０を有している。図１ないし図３に示すようにＤＶＤのレンタルでは最新作のレンタル価格が最も高額で、日時を経るに従って低額となるが、この商習慣を悪用してラベルを剥がす者がおり、その対策として１箇所又は２箇所の改竄防止部２０を設けている。改竄防止部２０は剥離方向に対して裂け易いように、ラベル１１〜１３に入れた斜めの切り込みから成る。この例のように、改竄防止部２０を剥離開始部１９の側に上下に１箇所又は２箇所配置することで、剥離開始部１９から剥がそうとするとラベル
１１〜が途中で簡単にちぎれ易くなり、有効性が高い。
【００２３】
本発明による多層ラベルの製造方法では、複数個のラベルを接着する粘着剤として在来比約１．２〜３．６倍の接着強度を有するものを使用し、上記粘着剤の接触するラベル面に、剥離性を持たせたインクを用いて印刷するという手段、方法が組み合わされる。粘着剤１７及び印刷面１６を形成するインクは前述したとおりのもので良く、これらを用いた多層ラベル１０は、実施を容易にする面から、凸版印刷方式によって製造できることが望ましい。
【００２４】
上記多層ラベルの製造方法を実施するためには、様々な印刷機を使用することが可能であるが、工程の一例を図示すると図７のようになる。図中、２１、２２、２３は第１層、第２層、第３層のラベル１１、１２、１３の給紙ロール、２４、２５、２６はそれぞれの凸版印刷機、２７、２８、２９は同じく乾燥機、３１、３２、３３はのり付け機、３０は剥離紙用の給紙ロール、３４は型抜き機を示す。
【００２５】
故に、各給紙ロール２１、２２、２３から繰り出したシートの一面に、各印刷機２４、２５、２６にて印刷することにより前記剥離性を有する印刷面１６を形成し、インクを乾燥させ、上記シートの他面にのり付け機３１、３２、３３により在来比約１．５倍の接着強度を有する粘着剤１７を塗布し、剥離紙と共に重ねて接着し、型抜き機３４による型抜きを行い、必要な筋押し加工線１８を形成した上でロール３５に巻き取る。これにより、複数個のラベルから成る多層ラベル１０が形成されるものである。
【００２６】
このように構成されている本発明の多層ラベル１０は、ロール３５に巻き取られたものを所定の長さに切断して需要者に供給される。店では、多層ラベル１０を剥離紙１４から剥がすとともに、商品であるＤＶＤのケースＤに、筋押し加工線１８を角に合わせて貼り付けることで、店頭に並べられる状態になる。商品であるＤＶＤは最新作の提供後一定期間を経ると、第１層のラベル１１をまず剥がして第２層のラベル１２を露出させる。その作業を行う店員等は、剥離開始部１９が設けられていることを知っているので容易に剥離を行うことができ、同様に第２層のラベル１２、第３層のラベル１３と剥離することができる。
【００２７】
また、ラベルを剥離するごとにレンタル価格が易くなるように設定されている場合、これを悪用して、未だ最新作期間であるにも拘らず第１層ラベル１１を剥がし、第２層ラベル１２又は第３層ラベル１３を露出させて借り出そうとする者については、ラベル１１〜１３を改竄防止部２０により破断させることで対処することができる。つまり、上記の者がラベル１１〜１３を剥がそうとすると、改竄防止部２０にて破断するので、無傷であるべきラベル１１〜１３に傷が生じ、実行を思い止まらせることが可能になる。
【００２８】
本発明の多層ラベルは上記のように構成されかつ作用するものであるが、その用途は、ＤＶＤなどのレンタル商品に限らず、重ねて接着される複数個のラベルを剥離することに関係する商品類に広く適用することができる。例えば、惣菜などの食品に貼り付ける価格の変更にはそのまま適用可能であり、また、薬品に貼るラベルとしても好適である。以上の説明では、剥離紙を含めて三層構造までが限界であった従来公知の技術を超える例として、４層の多層構造から成る多層ラベルについて説明したが、５層は上記実施形態と同じ方法によって実現できる範囲であり、それ以上の多層構造から成る多層ラベルについても実施できる可能性がある。
【図面の簡単な説明】
【００２９】
【図１】本発明に係る多層ラベルの一例を示す平面説明図である。
【図２】同上の多層ラベルを剥離している状態を示す平面説明図である。
【図３】同上の多層ラベルを示すもので、Ａは第２層ラベルの平面図、Ｂは第３層ラベルの平面図である。
【図４】同上の多層ラベルの多層構造を示すもので、Ａは筋押し加工線のないものの部分断面図、Ｂは筋押し加工線のあるものの部分断面図である。
【図５】同じく多層ラベルの剥離開始部、改竄防止部を示す断面図である。
【図６】同じく多層ラベルの使用状態を示す部分斜視図である。
【図７】同じく多層ラベルの製造工程の例を示す説明図である。
【符号の説明】
【００３０】
１０  多層ラベル
１１  第１層ラベル
１２  第２層ラベル
１３  第３層ラベル
１４  剥離紙
１５、１５′、１５″  ラベル集合体（多層ラベル）
１６  印刷面
１７  粘着剤
１８  筋押し加工線
１９  剥離開始部
２０  改竄防止部
２１、２２、２３  給紙ロール
２４、２５、２６  印刷機
２７、２８、２９  乾燥機
３０  剥離紙用ロール
３１、３２、３３  のり付け機
３４  型抜き機
３５  ロール（多層ラベル）
Ｄ  ケース
【図１】
2014010234.tif 000003
【図２】
2014010234.tif 000004
【図３】
2014010234.tif 000005
【図４】
2014010234.tif 000006
【図５】
2014010234.tif 000007
【図６】
2014010234.tif 000008
【図７】
2014010234.tif 000009